(57)【要約】【課題】周波数帯域をより有効に利用すること。【解決手段】本発明の無線通信システムは、互いに隣接する第１の基地局および第２の基地局を備える。前記第１の基地局および前記第２の基地局は、互いに異なる周波数帯域が割り当てられており、前記第１の基地局および前記第２の基地局のセル境界に位置する端末から上りリンクの帯域要求を受けた場合、自局の周波数帯域内の周波数を割り当てる。前記端末は、前記第１の基地局および前記第２の基地局のそれぞれから割り当てられた周波数を使用して、前記第１の基地局および前記第２の基地局のうち通信中の基地局に対して上りリンクのデータを送信する。【選択図】図２
2009260467.tif 000002
【特許請求の範囲】
【請求項１】
端末と基地局間で無線通信を行う無線通信システムであって、
互いに隣接する第１の基地局および第２の基地局を備え、
前記第１の基地局および前記第２の基地局は、互いに異なる周波数帯域が割り当てられており、前記第１の基地局および前記第２の基地局のセル境界に位置する端末から上りリンクの帯域要求を受けた場合、自局の周波数帯域内の周波数を割り当て、
前記端末は、前記第１の基地局および前記第２の基地局のそれぞれから割り当てられた周波数を使用して、前記第１の基地局および前記第２の基地局のうち通信中の基地局に対して上りリンクのデータを送信する、
無線通信システム。
【請求項２】
前記第１の基地局および前記第２の基地局は、
自局と非通信中の端末からの帯域要求に対しては、自局と通信中の端末のいずれにも周波数を割り当てていない時間帯がある場合にのみ、該時間帯において、自局の周波数帯域内の周波数を割り当て、
前記端末は、
非通信中の基地局から周波数が割り当てられなかった場合、通信中の基地局から割り当てられた周波数のみを使用して、通信中の基地局に対して上りリンクのデータを送信する、請求項１に記載の無線通信システム。
【請求項３】
前記端末は、
非通信中の基地局から周波数が割り当てられた場合、該周波数と該周波数が割り当てられた時間帯とを、通信中の基地局に通知する、請求項１または２に記載の無線通信システム。
【請求項４】
端末と基地局間で無線通信を行う無線通信システムであって、
互いに隣接する第１の基地局および第２の基地局を備え、
前記第１の基地局および前記第２の基地局は、互いに異なる周波数帯域が割り当てられており、
前記第１の基地局は、前記第２の基地局とのセル境界に位置する端末を介して、前記第２の基地局に対して、下りリンクの帯域要求を行い、
前記第２の基地局は、前記第１の基地局から下りリンクの帯域要求を受けた場合、自局の周波数帯域内の周波数を割り当て、
前記第１の基地局は、自局の周波数帯域内の周波数と前記第２の基地局から割り当てられた周波数とを使用して、前記端末に下りリンクのデータを送信する、
無線通信システム。
【請求項５】
前記第２の基地局は、
前記第１の基地局からの帯域要求に対し、自局に周波数を割り当てていない時間帯がある場合にのみ、該時間帯において、自局の周波数帯域内の周波数を割り当て、
前記第１の基地局は、
前記第２の基地局から周波数が割り当てられなかった場合、自局の周波数帯域内の周波数のみを使用して、前記端末に下りリンクのデータを送信する、請求項４に記載の無線通信システム。
【請求項６】
自端末が、通信中の基地局と該基地局とは異なる周波数帯域が割り当てられた隣接基地局とのセル境界に位置する場合、通信中の基地局と隣接基地局に対し、上りリンクの帯域要求を行う帯域要求部と、
通信中の基地局から割り当てられた周波数と隣接基地局から割り当てられた周波数とを使用して、通信中の基地局に上りリンクのデータを送信するデータ送信部と、を有する、端末。
【請求項７】
前記データ送信部は、
隣接基地局から周波数が割り当てられなかった場合、通信中の基地局から割り当てられた周波数のみを使用して、通信中の基地局に上りリンクのデータを送信する、請求項６に記載の端末。
【請求項８】
隣接基地局から周波数が割り当てられた場合、該周波数と該周波数が割り当てられた時間帯とを、通信中の基地局に通知する拡大帯域通知部をさらに有する、請求項６または７に記載の端末。
【請求項９】
自局と通信中および非通信中の端末からの帯域要求に対し、自局の周波数帯域内の周波数を割り当てる帯域割当部を有する、基地局。
【請求項１０】
前記帯域割当部は、
自局と非通信中の端末からの帯域要求に対しては、自局と通信中の端末のいずれにも周波数を割り当てていない時間帯がある場合にのみ、該時間帯において、自局の周波数帯域内の周波数を割り当てる、請求項９に記載の基地局。
【請求項１１】
自局と通信中の端末が、自局と自局とは異なる周波数帯域が割り当てられた隣接基地局とのセル境界に位置する場合、通信中の端末を経由して隣接基地局に対し、下りリンクの帯域要求を行う帯域要求部と、
隣接基地局からの端末を経由した帯域要求に対し、自局の周波数帯域内の周波数を割り当てる帯域割当部と、
自局の周波数帯域内の周波数と隣接基地局から割り当てられた周波数とを使用して、通信中の端末に下りリンクのデータを送信するデータ送信部と、を有する、基地局。
【請求項１２】
前記帯域割当部は、
隣接基地局からの端末を経由した帯域要求に対し、自局に周波数を割り当てていない時間帯がある場合にのみ、該時間帯において、自局の周波数帯域内の周波数を割り当て、
前記データ送信部は、
隣接基地局から周波数が割り当てられなかった場合、自局の周波数帯域内の周波数のみを使用して、通信中の端末に下りリンクのデータを送信する、請求項１１に記載の基地局。
【請求項１３】
端末による無線通信方法であって、
自端末が、通信中の基地局と該基地局とは異なる周波数帯域が割り当てられた隣接基地局とのセル境界に位置する場合、通信中の基地局と隣接基地局に対し、上りリンクの帯域要求を行う帯域要求ステップと、
通信中の基地局から割り当てられた周波数と隣接基地局から割り当てられた周波数とを使用して、通信中の基地局に上りリンクのデータを送信するデータ送信ステップと、を有する、無線通信方法。
【請求項１４】
前記データ送信ステップでは、
隣接基地局から周波数が割り当てられなかった場合、通信中の基地局から割り当てられた周波数のみを使用して、通信中の基地局に上りリンクのデータを送信する、請求項１３に記載の無線通信方法。
【請求項１５】
隣接基地局から周波数が割り当てられた場合、該周波数と該周波数が割り当てられた時間帯とを、通信中の基地局に通知する拡大帯域通知ステップをさらに有する、請求項１３または１４に記載の無線通信方法。
【請求項１６】
基地局による無線通信方法であって、
自局と通信中の端末と非通信中の端末からの帯域要求に対し、自局の周波数帯域内の周波数を割り当てる帯域割当ステップを有する、無線通信方法。
【請求項１７】
前記帯域割当ステップでは、
自局と非通信中の端末からの帯域要求に対しては、自局と通信中の端末のいずれにも周波数を割り当てていない時間帯がある場合にのみ、該時間帯において、自局の周波数帯域内の周波数を割り当てる、請求項１６に記載の無線通信方法。
【請求項１８】
基地局による無線通信方法であって、
自局と通信中の端末が、自局と自局とは異なる周波数帯域が割り当てられた隣接基地局とのセル境界に位置する場合、通信中の端末を経由して隣接基地局に対し、下りリンクの帯域要求を行う帯域要求ステップと、
自局の周波数帯域内の周波数と隣接基地局から割り当てられた周波数とを使用して、通信中の端末に下りリンクのデータを送信するデータ送信ステップと、を有する、無線通信方法。
【請求項１９】
前記データ送信ステップでは、
隣接基地局から周波数が割り当てられなかった場合、自局の周波数帯域内の周波数のみを使用して、通信中の端末に下りリンクのデータを送信する、請求項１８に記載の無線通信方法。
【請求項２０】
基地局による無線通信方法であって、
隣接基地局からの端末を経由した帯域要求に対し、自局の周波数帯域内の周波数を割り当てる帯域割当ステップを有する、無線通信方法。
【請求項２１】
前記帯域割当ステップでは、
隣接基地局からの端末を経由した帯域要求に対し、自局に周波数を割り当てていない時間帯がある場合にのみ、該時間帯において、自局の周波数帯域内の周波数を割り当てる、請求項２０に記載の無線通信方法。
【発明の詳細な説明】
【技術分野】
【０００１】
本発明は、無線通信システム、端末、基地局、無線通信方法に関する。
【背景技術】
【０００２】
近年、無線通信システムの多元接続方式として、ＯＦＤＭＡ（Orthogonal Frequency Division Multiple Access：直交周波数分割多元接続）方式が注目を集めている。
【０００３】
ＯＦＤＭＡ方式は、上りリンクまたは下りリンクでデータを送信する際に、データの送信元に対して、ある周波数帯域内の周波数とその周波数を使用可能な時間とを割り当てる方式であり、例えば、ＷｉＭＡＸ（Worldwide Interoperability for Microwave Access）で採用されている。
【０００４】
ＷｉＭＡＸでは、例えば、上りリンクの場合、端末（Mobile Station）は、上りデータを送信する際に、基地局（Base Station）に対して帯域要求を行う。すると、基地局は、自局に割り当てられた周波数帯域内の周波数とその周波数を使用可能な時間帯とを端末に割り当てる。そして、端末は、基地局から割り当てられた時間帯に割り当てられた周波数を使用して、上りデータを送信する（例えば、特許文献１参照）。
【特許文献１】特表２００８−５０３９３５号公報
【発明の開示】
【発明が解決しようとする課題】
【０００５】
ところで、ＷｉＭＡＸでは、５ＭＨｚ／７ＭＨｚ／１０ＭＨｚ／２０ＭＨｚといった複数の周波数帯域が使用可能であるが、通常、１つの周波数帯域でセルを構成するため、各基地局には、いずれか１つの周波数帯域が割り当てられる。
【０００６】
そのため、上りリンクの場合、端末に割り当てられる周波数は、ＷｉＭＡＸで使用可能な複数の周波数帯域のうち、帯域要求を行った基地局に割り当てられている１つの周波数帯域内の周波数のみである。
【０００７】
また、下りリンクの場合も、基地局に割り当てられる周波数は、その基地局に割り当てられている１つの周波数帯域内の周波数のみである。
【０００８】
このように、ＷｉＭＡＸでは、上りリンクおよび下りリンクの双方において、使用可能な周波数帯域を有効に利用できていない。
【０００９】
以上のことから、ＷｉＭＡＸ方式に代表される、複数の周波数帯域が使用可能な通信方式の無線通信システムでは、上りリンクまたは下りリンクにおいて、使用可能な周波数帯域をより有効に利用することが重要な課題になっている。
【００１０】
そこで、本発明の目的は、上述した課題を解決する無線通信システム、端末、基地局、無線通信方法を提供することにある。
【課題を解決するための手段】
【００１１】
本発明の第１の無線通信システムは、
端末と基地局間で無線通信を行う無線通信システムであって、
互いに隣接する第１の基地局および第２の基地局を備え、
前記第１の基地局および前記第２の基地局は、互いに異なる周波数帯域が割り当てられており、前記第１の基地局および前記第２の基地局のセル境界に位置する端末から上りリンクの帯域要求を受けた場合、自局の周波数帯域内の周波数を割り当て、
前記端末は、前記第１の基地局および前記第２の基地局のそれぞれから割り当てられた周波数を使用して、前記第１の基地局および前記第２の基地局のうち通信中の基地局に対して上りリンクのデータを送信する。
【００１２】
本発明の第２の無線通信システムは、
端末と基地局間で無線通信を行う無線通信システムであって、
互いに隣接する第１の基地局および第２の基地局を備え、
前記第１の基地局および前記第２の基地局は、互いに異なる周波数帯域が割り当てられており、
前記第１の基地局は、前記第２の基地局とのセル境界に位置する端末を介して、前記第２の基地局に対して、下りリンクの帯域要求を行い、
前記第２の基地局は、前記第１の基地局から下りリンクの帯域要求を受けた場合、自局の周波数帯域内の周波数を割り当て、
前記第１の基地局は、自局の周波数帯域内の周波数と前記第２の基地局から割り当てられた周波数とを使用して、前記端末に下りリンクのデータを送信する。
【００１３】
本発明の端末は、
自端末が、通信中の基地局と該基地局とは異なる周波数帯域が割り当てられた隣接基地局とのセル境界に位置する場合、通信中の基地局と隣接基地局に対し、上りリンクの帯域要求を行う帯域要求部と、
通信中の基地局から割り当てられた周波数と隣接基地局から割り当てられた周波数とを使用して、通信中の基地局に上りリンクのデータを送信するデータ送信部と、を有する。
【００１４】
本発明の第１の基地局は、
自局と通信中および非通信中の端末からの帯域要求に対し、自局の周波数帯域内の周波数を割り当てる帯域割当部を有する。
【００１５】
本発明の第２の基地局は、
自局と通信中の端末が、自局と自局とは異なる周波数帯域が割り当てられた隣接基地局とのセル境界に位置する場合、通信中の端末を経由して隣接基地局に対し、下りリンクの帯域要求を行う帯域要求部と、
隣接基地局からの端末を経由した帯域要求に対し、自局の周波数帯域内の周波数を割り当てる帯域割当部と、
自局の周波数帯域内の周波数と隣接基地局から割り当てられた周波数とを使用して、通信中の端末に下りリンクのデータを送信するデータ送信部と、を有する。
【００１６】
本発明の第１の無線通信方法は、
端末による無線通信方法であって、
自端末が、通信中の基地局と該基地局とは異なる周波数帯域が割り当てられた隣接基地局とのセル境界に位置する場合、通信中の基地局と隣接基地局に対し、上りリンクの帯域要求を行う帯域要求ステップと、
通信中の基地局から割り当てられた周波数と隣接基地局から割り当てられた周波数とを使用して、通信中の基地局に上りリンクのデータを送信するデータ送信ステップと、を有する。
【００１７】
本発明の第２の無線通信方法は、
基地局による無線通信方法であって、
自局と通信中の端末と非通信中の端末からの帯域要求に対し、自局の周波数帯域内の周波数を割り当てる帯域割当ステップを有する。
【００１８】
本発明の第３の無線通信方法は、
基地局による無線通信方法であって、
自局と通信中の端末が、自局と自局とは異なる周波数帯域が割り当てられた隣接基地局とのセル境界に位置する場合、通信中の端末を経由して隣接基地局に対し、下りリンクの帯域要求を行う帯域要求ステップと、
自局の周波数帯域内の周波数と隣接基地局から割り当てられた周波数とを使用して、通信中の端末に下りリンクのデータを送信するデータ送信ステップと、を有する。
【００１９】
本発明の第４の無線通信方法は、
基地局による無線通信方法であって、
隣接基地局からの端末を経由した帯域要求に対し、自局の周波数帯域内の周波数を割り当てる帯域割当ステップを有する。
【発明の効果】
【００２０】
本発明の第１の無線通信システムによれば、第１の基地局および第２の基地局は、互いに隣接しかつ互いに異なる周波数帯域が割り当てられており、セル境界に位置する端末から上りリンクの帯域要求を受けた場合、自局の周波数帯域内の周波数を割り当て、端末は、第１の基地局および第２の基地局のそれぞれから割り当てられた周波数を使用して、上りリンクのデータを送信する。
【００２１】
そのため、上りリンクにおいては、端末に対し、第１の基地局および第２の基地局から周波数を割り当てることが可能となるため、無線通信システムにおいて使用可能な周波数帯域を、より有効に利用することができるという効果が得られる。
【００２２】
本発明の第２の無線通信システムによれば、第１の基地局および第２の基地局は、互いに隣接しかつ互いに異なる周波数帯域が割り当てられており、第２の基地局は、第１の基地局から下りリンクの帯域要求を受けた場合、自局の周波数帯域内の周波数を割り当て、第１の基地局は、自局の周波数帯域内の周波数と第２の基地局から割り当てられた周波数とを使用して、下りリンクのデータを送信する。
【００２３】
そのため、下りリンクにおいては、第１の基地局に対し、第１の基地局の周波数帯域内の周波数を割り当てるだけでなく、第２の基地局からも周波数を割り当てることが可能となるため、無線通信システムにおいて使用可能な周波数帯域を、より有効に利用することができるという効果が得られる。
【発明を実施するための最良の形態】
【００２４】
例えば、ＷｉＭＡＸでは、５ＭＨｚ／７ＭＨｚ／１０ＭＨｚ／２０ＭＨｚといった複数の周波数帯域が使用可能であり、各基地局にはいずれか１つの周波数帯域が割り当てられるため、隣接基地局間で、異なる周波数帯域が割り当てられている場合がある。
【００２５】
本実施形態は、隣接基地局間で異なる周波数帯域が割り当てられている場合において、隣接基地局に空きのある周波数があれば、その周波数をもデータの送信に使用しようとするものである。
【００２６】
なお、以下で説明する実施形態では、ＷｉＭＡＸ方式の無線通信システムを例に挙げて説明するが、本発明はＷｉＭＡＸ方式に限らず、複数の周波数帯域が使用可能な通信方式であれば適用可能である。
【００２７】
図１は、本発明の一実施形態の無線通信システムの構成を示す図である。
【００２８】
図１を参照すると、本実施形態の無線通信システムは、端末ＭＳと、基地局ＢＳ１，ＢＳ２と、を有している。
【００２９】
なお、図１においては、基地局ＢＳ１は、周波数帯域ｆ１（例えば、１０ＭＨｚ）が割り当てられており、基地局ＢＳ２は、基地局ＢＳ１と隣接し、基地局ＢＳ１とは異なる周波数帯域ｆ２（例えば、２０ＭＨｚ）が割り当てられているものとする。また、端末ＭＳは、基地局ＢＳ１が無線通信サービスを提供する領域であるセルＣ１と基地局ＢＳ２が無線通信サービスを提供する領域であるセルＣ２とのセル境界に位置しているものとする。
【００３０】
また、図１においては、説明を簡単にするために、１つの端末ＭＳおよび２つの基地局ＢＳ１，ＢＳ２のみを示しているが、実際には、その他の端末および基地局も設けられているものとする。また、端末ＭＳは、２つの基地局ＢＳ１，ＢＳ２のセル境界に位置するものとしているが、本発明はこれに限定されず、３つ以上の基地局のセル境界に位置している場合も適用可能である。
【００３１】
ここで、端末ＭＳおよび基地局ＢＳ１，ＢＳ２の内部構成について説明する。
【００３２】
図２は、端末ＭＳおよび基地局ＢＳ１，ＢＳ２の内部構成を示すブロック図である。
【００３３】
なお、図２においては、端末ＭＳおよび基地局ＢＳ１，ＢＳ２の構成要素のうち、本発明の本質的部分の構成要素のみを示し、その他の構成要素は省略している。
【００３４】
図２を参照すると、端末ＭＳは、通信部１０１と、帯域要求部１０２と、データ送信部１０３と、拡大帯域通知部１０４と、帯域要求転送部１０５と、を有している。ここでは、端末ＭＳの構成要素の動作について、基地局ＢＳ１と通信中である場合を想定して説明するが、基地局ＢＳ２と通信中である場合の動作も同様である。
【００３５】
通信部１０１は、基地局ＢＳ１，ＢＳ２の各々と無線通信を行う。
【００３６】
帯域要求部１０２は、基地局ＢＳ１と端末ＭＳとの通信中に、基地局ＢＳ１に送信すべき上りデータが生じた場合、基地局ＢＳ１と基地局ＢＳ２に対し、上りリンクの帯域要求を行う。
【００３７】
データ送信部１０３は、基地局ＢＳ２から周波数が割り当てられた場合、基地局ＢＳ１から割り当てられた周波数帯域ｆ１内の周波数と基地局ＢＳ２から割り当てられた周波数帯域ｆ２内の周波数とを使用して、基地局ＢＳ１に上りデータを送信する。
【００３８】
一方、データ送信部１０３は、基地局ＢＳ２から周波数が割り当てられなかった場合、基地局ＢＳ１から割り当てられた周波数帯域ｆ１内の周波数のみを使用して、基地局ＢＳ１に上りデータを送信する。
【００３９】
拡大帯域通知部１０４は、基地局ＢＳ２から周波数が割り当てられた場合、その周波数とその周波数が割り当てられた時間帯とを、基地局ＢＳ１に通知する。
【００４０】
帯域要求転送部１０５は、基地局ＢＳ１と端末ＭＳとの通信中に、基地局ＢＳ１から下りリンクの帯域要求を受信した場合、その帯域要求を基地局ＢＳ２に転送する。
【００４１】
また、基地局ＢＳ１，ＢＳ２の各々は、通信部２０１と、帯域割当部２０２と、帯域要求部２０３と、データ送信部２０４と、を有している。ここでは、基地局ＢＳ１の構成要素の動作について説明するが、基地局ＢＳ２の構成要素の動作も同様である。
【００４２】
通信部２０１は、端末ＭＳと無線通信を行う。
【００４３】
帯域割当部２０２は、基地局ＢＳ１と端末ＭＳとの通信中に、端末ＭＳから上りリンクの帯域要求を受信した場合、周波数帯域ｆ１内の周波数を割り当てる。
【００４４】
一方、帯域割当部２０２は、基地局ＢＳ１と端末ＭＳとの非通信中に、端末ＭＳから上りリンクの帯域要求を受信した場合、基地局ＢＳ１と通信中の他の端末のいずれにも周波数を割り当てていない時間帯がある場合にのみ、その時間帯において、周波数帯域ｆ１内の周波数を割り当てる。
【００４５】
また、帯域割当部２０２は、基地局ＢＳ２と端末ＭＳとの通信中に、基地局ＢＳ２から端末ＭＳを経由して下りリンクの帯域要求を受信した場合、基地局ＢＳ１に周波数を割り当てていない時間帯がある場合にのみ、その時間帯において、周波数帯域ｆ１内の周波数を割り当てる。
【００４６】
帯域要求部２０３は、基地局ＢＳ１と端末ＭＳとの通信中に、端末ＭＳに送信すべき下りデータが生じた場合、端末ＭＳを経由して基地局ＢＳ２に対し、下りリンクの帯域要求を行う。
【００４７】
データ送信部２０４は、基地局ＢＳ２から周波数が割り当てられた場合、基地局ＢＳ１に割り当てられた周波数帯域ｆ１内の周波数と基地局ＢＳ２から割り当てられた周波数帯域ｆ２内の周波数とを使用して、端末ＭＳに下りデータを送信する。
【００４８】
一方、データ送信部２０４は、基地局ＢＳ２から周波数が割り当てられなかった場合、基地局ＢＳ１に割り当てられた周波数帯域ｆ１内の周波数のみを使用して、端末ＭＳに下りデータを送信する。
【００４９】
以下、本実施形態の無線通信システムのデータ送信時の動作について、上りリンクの場合と下りリンクの場合とに分けて説明する。なお、以下では、端末ＭＳは、基地局ＢＳ１と通信中であるものとする。
【００５０】
［上りリンクの場合］
図３は、本実施形態の無線通信システムの上りリンクにおけるデータ送信時の動作を説明するフローチャートである。
【００５１】
図３を参照すると、端末ＭＳの帯域要求部１０２は、基地局ＢＳ１との通信中に、基地局ＢＳ１に送信すべき上りデータが生じた場合（ステップ３０１）、基地局ＢＳ１と基地局ＢＳ２に対し、上りリンクの帯域要求を行う（ステップ３０２，３０３）。
【００５２】
次に、基地局ＢＳ１の帯域割当部２０２は、端末ＭＳに対し、周波数帯域ｆ１内の周波数とその周波数を使用可能な時間帯とを割り当て、割り当てた周波数と時間帯を端末ＭＳに通知する（ステップ３０４）。
【００５３】
次に、基地局ＢＳ２の帯域割当部２０２は、端末ＭＳからの上りリンクの帯域要求に対し、上りリンクの帯域に空きがあるか、具体的には、基地局ＢＳ２と通信中の他の端末のいずれにも周波数を割り当てていない時間帯があるかを確認する（ステップ３０５）。
【００５４】
ステップ３０５において、基地局ＢＳ２と通信中の他の端末のいずれにも周波数を割り当てていない時間帯がない場合、基地局ＢＳ２の帯域割当部２０２は、端末ＭＳへの周波数の割り当てが失敗した旨を端末ＭＳに通知する（ステップ３０６）。
【００５５】
その後、端末ＭＳのデータ送信部１０３は、基地局ＢＳ１から割り当てられた周波数帯域ｆ１内の周波数のみを使用して、基地局ＢＳ１に上りデータを送信する（ステップ３０７）。
【００５６】
一方、ステップ３０５において、基地局ＢＳ２と通信中の他の端末のいずれにも周波数を割り当てていない時間帯がある場合、基地局ＢＳ２の帯域割当部２０２は、その時間帯において、端末ＭＳに対し、周波数帯域ｆ２内の周波数を割り当て、割り当てた周波数と時間帯を端末ＭＳに通知する（ステップ３０８）。これにより、端末ＭＳにおいて、上りデータの送信に使用する周波数は、基地局ＢＳ２から割り当てられた周波数まで拡大される。
【００５７】
次に、端末ＭＳの拡大帯域通知部１０４は、基地局ＢＳ２から割り当てられた周波数と時間帯とを、基地局ＢＳ１に通知する（ステップ３０９）。
【００５８】
その後、端末ＭＳのデータ送信部１０３は、ステップ３０９の通知に対する応答としてＡＣＫメッセージを受信すると（ステップ３１０）、基地局ＢＳ１から割り当てられた周波数帯域ｆ１内の周波数と基地局ＢＳ２から割り当てられた周波数帯域ｆ２内の周波数とを使用して、基地局ＢＳ１に上りデータを送信する（ステップ３１１）。
【００５９】
上述したように本実施形態においては、端末ＭＳと基地局ＢＳ１とが通信中である場合、端末ＭＳは、通信中の基地局ＢＳ１だけでなく、基地局ＢＳ１と隣接し基地局ＢＳ１とは異なる周波数帯域が割り当てられた基地局ＢＳ２に対しても、上りリンクの帯域要求を行い、基地局ＢＳ１から割り当てられた周波数帯域ｆ１内の周波数と基地局ＢＳ２から割り当てられた周波数帯域ｆ２内の周波数とを使用して、基地局ＢＳ１に上りデータを送信する。
【００６０】
そのため、図４に示すように、上りリンクにおいては、端末ＭＳに対し、基地局ＢＳ１から周波数帯域ｆ１内の周波数を割り当てるだけでなく、基地局ＢＳ２から周波数帯域ｆ２内の周波数を割り当てることが可能となるため、無線通信システムにおいて使用可能な周波数帯域を、より有効に利用することができるという効果が得られる。
【００６１】
［下りリンクの場合］
図５は、本実施形態の無線通信システムの下りリンクの場合におけるデータ送信時の動作を説明するフローチャートである。
【００６２】
図５を参照すると、基地局ＢＳ１の帯域要求部２０３は、端末ＭＳとの通信中に、端末ＭＳに送信すべき下りデータが生じた場合（ステップ５０１）、端末ＭＳに対し、基地局ＢＳ２への下りリンクの帯域要求を行う（ステップ５０２）。
【００６３】
次に、端末ＭＳの帯域要求転送部１０５は、基地局ＢＳ１からの、基地局ＢＳ２への下りリンクの帯域要求を基地局ＢＳ２に転送する（ステップ５０３）。
【００６４】
次に、基地局ＢＳ２の帯域割当部２０２は、下りリンクの帯域に空きがあるか、具体的には、基地局ＢＳ２に周波数を割り当てていない時間帯があるかを確認する（ステップ５０４）。
【００６５】
ステップ５０４において、基地局ＢＳ２に周波数を割り当てていない時間帯がない場合、基地局ＢＳ２の帯域割当部２０２は、基地局ＢＳ１への周波数の割り当てが失敗した旨を端末ＭＳに通知する（ステップ５０５）。
【００６６】
次に、端末ＭＳの帯域要求転送部１０５は、基地局ＢＳ１への周波数の割り当てが失敗した旨の通知を、基地局ＢＳ１に転送する（ステップ５０６）。
【００６７】
その後、基地局ＢＳ１のデータ送信部２０４は、基地局ＢＳ１に割り当てられた周波数帯域ｆ１内の周波数のみを使用して、端末ＭＳに下りデータを送信する（ステップ５０７）。
【００６８】
一方、ステップ５０４において、基地局ＢＳ２に周波数を割り当てていない時間帯がある場合、基地局ＢＳ２の帯域割当部２０２は、その時間帯において、基地局ＢＳ１に対し、周波数帯域ｆ２内の周波数を割り当て、割り当てた周波数と時間帯を端末ＭＳに通知する（ステップ５０８）。これにより、基地局ＢＳ１において、下りデータの送信に使用する周波数は、基地局ＢＳ２から割り当てられた周波数まで拡大される。
【００６９】
次に、端末ＭＳの帯域要求転送部１０５は、基地局ＢＳ２から基地局ＢＳ１へ割り当てられた周波数と時間帯とを、基地局ＢＳ１に通知する（ステップ５０９）。
【００７０】
その後、基地局ＢＳ１のデータ送信部２０４は、基地局ＢＳ１に割り当てられた周波数帯域ｆ１内の周波数と基地局ＢＳ２から割り当てられた周波数帯域ｆ２内の周波数とを使用して、端末ＭＳに下りデータを送信する（ステップ５１０）。
【００７１】
上述したように本実施形態においては、端末ＭＳと基地局ＢＳ１とが通信中である場合、基地局ＢＳ１は、基地局ＢＳ１と隣接し基地局ＢＳ１とは異なる周波数帯域が割り当てられた基地局ＢＳ２に対して、端末ＭＳを経由して、下りリンクの帯域要求を行い、基地局ＢＳ１に割り当てられた周波数帯域ｆ１内の周波数と基地局ＢＳ２から割り当てられた周波数帯域ｆ２内の周波数とを使用して、端末ＭＳに下りデータを送信する。
【００７２】
そのため、図６に示すように、下りリンクにおいては、基地局ＢＳ１に対し、周波数帯域ｆ１内の周波数を割り当てるだけでなく、基地局ＢＳ２から周波数帯域ｆ２内の周波数を割り当てることが可能となるため、無線通信システムにおいて使用可能な周波数帯域を、より有効に利用することができるという効果が得られる。
【図面の簡単な説明】
【００７３】
【図１】本発明の一実施形態の無線通信システムの構成を示すブロック図である。
【図２】図１に示した端末および基地局の内部構成を示すブロック図である。
【図３】図１に示した無線通信システムの上りリンクにおけるデータ送信時の動作を説明するフローチャートである。
【図４】図１に示した無線通信システムの上りリンクにおける効果を説明する図である。
【図５】図１に示した無線通信システムの下りリンクにおけるデータ送信時の動作を説明するフローチャートである。
【図６】図１に示した無線通信システムの下りリンクにおける効果を説明する図である。
【符号の説明】
【００７４】
ＭＳ    端末
ＢＳ１，ＢＳ２    基地局
１０１    通信部
１０２    帯域要求部
１０３    データ送信部
１０４    拡大帯域通知部
１０５    帯域要求転送部
２０１    通信部
２０２    帯域割当部
２０３    帯域要求部
２０４    データ送信部
【図１】
2009260467.tif 000003
【図２】
2009260467.tif 000004
【図３】
2009260467.tif 000005
【図４】
2009260467.tif 000006
【図５】
2009260467.tif 000007
【図６】
2009260467.tif 000008